(57)【要約】      （修正有）【課題】収容した商品が脱落することがなく、また、袋体にファスナーを設けてスライダーを取り付け勝手に動くことが無く、使用時には簡単に固定状態を解き、スライダーを移動させることのできるスライダー付ファスナーを設けた袋体を提供する。【解決手段】袋体の開口部の裏面側に表面の上端とほぼ同じ位置を折り曲げた第一の折り曲げ部と、第一の折り曲げ部の下部を逆に折り曲げた第二の折り曲げ部とを設け、更に第二の折り曲げ部を長く取り、裏面側の端部近傍に接着剤４を塗布してり剥離シート５を置き、第一の折り曲げ部に凸部を設けた一方の雄のファスナーを設ける。表面１Ａの上端縁に第一の折り曲げ部に設けた一方の雄のファスナーと嵌合する凹部を設けた他方の雌のファスナーを設けてこれらのファスナーＦを嵌合させ、該ファスナーＦを開閉するスライダー３を設ける。【選択図】図１
0003172065.tif 000002
【実用新案登録請求の範囲】
【請求項１】
表面シート１Aと該表面側より長い裏面シート１Bとを有し、左右両端部及び下端部の周縁部をシールして開口部２を設けた袋体１であって、
該袋体の開口部2の裏面側に前記表面の上端とほぼ同じ位置を折り曲げた第一の折り曲げ部１１と、該第一の折り曲げ部１１の下部を逆に折り曲げた第二の折り曲げ部１２とを設け、更に該第二の折り曲げ部１２を表面側に曲げても該裏面シートの端部が表面シート１A側の中程に届くように長く取り、該長く取った裏面側の端部近傍に接着剤を塗布してり剥離紙を置き、前記第一の折り曲げ部に凸部を設けた一方の雄型ファスナーを設けると共に、前記表面１Aの上端縁に前記第一の折り曲げ部１１に設けた前記一方の雄型ファスナーと嵌合する凹部を設けた他方の雌型ファスナーを設けてこれらのファスナーを嵌合させてファスナーFとし、該ファスナーFを開閉する分割型スライダー３を設けたことを特徴とする分割型スライダーを設けたファスナー付袋体。
【請求項２】
表面シート１Aと、該表面シート１A側より長い裏面シート１Bと、を有し、左右両端部及び下端部の周縁部をシールして開口部２を設けた袋体１であって、
該袋体の開口部2の裏面側に前記表面シート１Aの上端とほぼ同じ位置を下方に折り曲げた第一の折り曲げ部１１と、該第一の折り曲げ部１１の下部を上方に逆に折り曲げた第二の折り曲げ部１２とを設け、更に第二の折り曲げ部１２を表面シート１A側に曲げても該裏面シート１Bの端部が表面シートの中程に届くように長く取り、該長く取った裏面シート１B側の上部シートの端部近傍に接着剤４を塗布して剥離シート５を置き、前記第二の折り曲げ部１２と前記裏面シート１B側の上部シートの中央部との間にミシン目６を設け、前記第一の折り曲げ部１１に凸部を設けた一方の雄型ファスナーと、前記表面１Aの上端縁に前記雄型ファスナーと嵌合する凹部を設けた他方の雌型ファスナーを設けてこれらのファスナーを嵌合させてファスナーFとし、該ファスナーFを開閉する分割型スライダー３を設けたことを特徴とする分割型スライダーを設けたファスナー付袋体。
【請求項３】
表面シート１Aと、該表面シート１A側より長い裏面シート１Bと、を有し、左右両端部及び下端部の周縁部をシールして開口部２を設けた袋体１であって、
該袋体の開口部2の裏面側に前記表面シート１Aの上端とほぼ同じ位置を下方に折り曲げた第一の折り曲げ部１１と、該第一の折り曲げ部１１の下部を上方に逆に折り曲げた第二の折り曲げ部１２とを設け、更に該第二の折り曲げ部１２を表面シート１A側に曲げても、該裏面シートの端部が表面シート１Aの中程に届くように長く取り、該長く取った裏面シート１B側の開口部２より上部シートの中央部と、端部近傍に接着剤４、４を塗布してり剥離シート５B、５Cを置き、前記第二の折り曲げ部１２と前記裏面シート１B側の上部シートの中央部の間にミシン目６Aおよび上部シートと端部近傍との間にミシン目６Bを設け、さらに前記ファスナーFの下側近傍の表面シート１A側に接着剤４を塗布して剥離シート５Aを置き、前記第一の折り曲げ部１１の表面シート１A側に凸部を設けた一方の雄型ファスナーと、前記表面１Bの上端縁に前記雄型ファスナーと嵌合する凹部を設けた他方の雌型ファスナーを設けてこれら雄、雌のファスナーを嵌合、離脱させるファスナーFと、該ファスナーFを開閉する分割型スライダー３を設けたことを特徴とする分割型スライダーを設けたファスナー付袋体。
【請求項４】
前記分割型スライダーは、ファスナーFを開く部分と、ファスナーFを閉じる部分とに分割するファスナー用スライダーであることを特徴とする請求項１乃至請求項３のいずれかに記載のスライダーを設けたファスナー付袋体であることを特徴とする分割型スライダーを設けたファスナー付袋体。
【考案の詳細な説明】
【技術分野】
【０００１】
本考案は、文房具類、化粧品等やトイレタリー商品、或いは店頭販売時に陳列するために商品を収納する袋体、特に盗難防止や収納物の落下防止上有効なスライダー付ファスナーを設けた袋体に関する。
【背景技術】
【０００２】
文房具類や化粧品或いは小銭入れ等は、普通ジッパー付のハンドバッグを使用する。しかしハンドバッグは商品を収納して販売する時には、店頭に陳列するものではない。また、文房具や化粧品等の商品を袋体に入れて陳列しても盗難に逢い易いし、気が付かない間に中の商品がこぼれて落下してしまうことも良くある。合成樹脂製の袋体には、開口部に凹部と凸部を設けたファスナーを設けたものが使用されるが、しっかり閉じた場合でも不完全な場合があり、盗難や脱落を防止することは困難である。そこで袋体に商品を密封して、勝手な開封を防止するためステープルを使用することもある。
【０００３】
また、特許文献１のように袋体の開口部にファスナーを設け、該ファスナーにスライダーを取り付けることもある。このような場合、勝手にスライダーが開いては内容物が落下するので、このような事態を防止するため、開閉防止部材１を袋体２とは別体に設け、この開閉部材１にはファスナー１０にスライダー１５を設け,該袋体２と開閉防止部材１は一体にしてある（符号は特許文献１のものをそのまま使用）。この状態で袋体２に商品を入れて陳列してあり、商品の受け取り者が袋体を使用する時には切断部３０で切断して開封するようになっている。前記スライダー１５を設ける部分には切欠部２３を設けているが、比較的複雑な構造である。この場合、ファスナー１０にスライダー１５を設けるのは不正開封を防止するのが主要目的（盗難防止）であって、この状態で袋体２に商品を入れて陳列してある。前記切欠部２３を設けるのはスライダー１５をスライドさせ袋体２を勝手に開封しないようにするためである（特許文献１）。
【先行技術文献】
【特許文献】
【０００４】
【特許文献１】実用新案登録第３０７７１３１号
【考案の概要】
【考案が解決しようとする課題】
【０００５】
最近は、商品を袋体に収納し、収納した商品を販売店で展示する場合、紙製の袋体よりも合成樹脂製の袋体を使用することが多い。特に破れては困る物を封入して搬送する場合、例えば、機密書類を郵便物として送付する場合には、それが破損するとトラブル発生の原因となるので合成樹脂製の袋体を使用する。また、その他の大事な物を封入する場合も極力丈夫な合成樹脂製袋体を用いることが多い。しかしながら、合成樹脂製の袋体でファスナーを設けたものはあるけれども、ファスナーにスライダーを取り付け該スライダーが勝手に移動しないように固定され、しかも使用時には簡単に開口部が開閉可能で且つ簡単にスライダーを移動させることのできるものは引用文献１以外あまり見当たらない。
【０００６】
本考案は、上記する課題に対処するためになされたものであり、収容した商品や大切なものが脱落することがなく、また、袋体にファスナーを設けて且つ該ファスナーにスライダーを取り付けて固定して該スライダーが勝手に動くことが無く、使用時には簡単に固定状態を解き、スライダーを移動させることのできるスライダー付ファスナーを設けた袋体を提供することを目的としている。
【課題を解決するための手段】
【０００７】
すなわち、請求項１に記載の考案は、分割型スライダーを設けたファスナー付袋体が、表面シート１Aと該表面側より長い裏面シート１Bとを有し、左右両端部及び下端部の周縁部をシールして開口部２を設けた袋体１であって、
該袋体の開口部2の裏面側に前記表面の上端とほぼ同じ位置を折り曲げた第一の折り曲げ部１１と、該第一の折り曲げ部１１の下部を逆に折り曲げた第二の折り曲げ部１２とを設け、更に該第二の折り曲げ部１２を表面側に曲げても該裏面シートの端部が表面シート１A側の中程に届くように長く取り、該長く取った裏面側の端部近傍に接着剤を塗布してり剥離紙を置き、前記第一の折り曲げ部に凸部を設けた一方の雄型ファスナーを設けると共に、前記表面１Aの上端縁に前記第一の折り曲げ部１１に設けた前記一方の雄型ファスナーと嵌合する凹部を設けた他方の雌型ファスナーを設けてこれらのファスナーを嵌合させてファスナーFとし、該ファスナーFを開閉する分割型スライダー３を設けたことを特徴とするものである。
【０００８】
また、請求項２に記載の考案は、分割型スライダーを設けたファスナー付袋体が、表面シート１Aと、該表面シート１A側より長い裏面シート１Bと、を有し、左右両端部及び下端部の周縁部をシールして開口部２を設けた袋体１であって、
該袋体の開口部2の裏面側に前記表面シート１Aの上端とほぼ同じ位置を下方に折り曲げた第一の折り曲げ部１１と、該第一の折り曲げ部１１の下部を上方に逆に折り曲げた第二の折り曲げ部１２とを設け、更に第二の折り曲げ部１２を表面シート１A側に曲げても該裏面シート１Bの端部が表面シートの中程に届くように長く取り、該長く取った裏面シート１B側の上部シートの端部近傍に接着剤４を塗布して剥離シート５を置き、前記第二の折り曲げ部１２と前記裏面シート１B側の上部シートの中央部との間にミシン目６を設け、前記第一の折り曲げ部１１に凸部を設けた一方の雄型ファスナーと、前記表面１Aの上端縁に前記雄型ファスナーと嵌合する凹部を設けた他方の雌型ファスナーを設けてこれらのファスナーを嵌合させてファスナーFとし、該ファスナーFを開閉する分割型スライダー３を設けたことを特徴とするものである。
【０００９】
また、請求項３に記載の考案は、分割型スライダー３を設けたファスナー付袋体１が、表面シート１Aと、該表面シート１A側より長い裏面シート１Bと、を有し、左右両端部及び下端部の周縁部をシールして開口部２を設けた袋体１であって、
該袋体の開口部2の裏面側に前記表面シート１Aの上端とほぼ同じ位置を下方に折り曲げた第一の折り曲げ部１１と、該第一の折り曲げ部１１の下部を上方に逆に折り曲げた第二の折り曲げ部１２とを設け、更に該第二の折り曲げ部１２を表面シート１A側に曲げても、該裏面シートの端部が表面シート１Aの中程に届くように長く取り、該長く取った裏面シート１B側の開口部２より上部シートの中央部と、端部近傍に接着剤４、４を塗布してり剥離シート５B、５Cを置き、前記第二の折り曲げ部１２と前記裏面シート１B側の上部シートの中央部の間にミシン目６Aおよび上部シートと端部近傍との間にミシン目６Bを設け、さらに前記ファスナーFの下側近傍（開口部近傍）の表面シート１A側に接着剤４を塗布して剥離シート５Aを置き、前記第一の折り曲げ部１１の表面シート１A側に凸部を設けた一方の雄型ファスナーと、前記表面１Bの上端縁に前記雄型ファスナーと嵌合する凹部を設けた他方の雌型ファスナーを設けてこれら雄、雌のファスナーを嵌合、離脱させるファスナーFと、該ファスナーFを開閉する分割型スライダー３を設けたことを特徴とするものである。
【００１０】
また、請求項４に記載の発明は、スライダーを設けたファスナー付袋体の前記スライダーが、ファスナーFを開く部分と、ファスナーFを閉じる部分とに分割するファスナー用スライダーであることを特徴とする請求項１乃至請求項３のいずれかに記載のスライダーを設けたファスナー付袋体であることを特徴とするものである。
【考案の効果】
【００１１】
本考案のスライダーを設けたファスナー付袋体を上記各手段とすれば、裏面側のシートを折り曲げて、袋体の開口部に設けたスライダー３を固定して動かないようにすることができる。また、この考案の袋体に商品をいれて店頭に吊り下げたり、並べて置いても中の商品を勝手に出す事はできなくなり、盗難予防に役立てることができる。そして、商品の購入者は、裏面のシートを剥がせばスライダーを簡単にスライドさせることができる。
【図面の簡単な説明】
【００１２】
【図１】図１は、本考案のスライダーを設けたファスナー付袋体を示す正面図である
【図２】図２（A）は図１のA―A矢視断面図であり、図２（B）は図１のB―B矢視断面図である。
【図３】図３は、本願考案の袋体１の裏面側面１Bを表面1A側へ折り曲げて被せた状態の正面図である。
【図４】図４は、図３の折り目部分のCーC拡大矢視である。
【図５】図５は本発明の袋体の全体斜視図である。
【図６】図６は、本考案の第２の実施の形態を示すスライダーを設けたファスナー付袋体１の正面図である。
【図７】図７は図６のD―D矢視断面図である。
【図８】図８は、図６に示す袋体のミシン目を破断した状態の正面図である。
【図９】図９は、図８のE―E矢視断面図である。
【考案を実施するための形態】
【００１３】
図１は、本考案のスライダーを設けたファスナー付袋体１の第１の実施の形態を示す正面図である。図２（A）は図１のA―A矢視断面図であり、図２（B）は、図１のB―B矢視断面図である。これらの図において、この袋体１（スライダーを設けたファスナー付袋体１を単に袋体１とすることもある）は、表面シート１Aと該表面シート１A側より上へ長い裏面シート１Bとを有し、左右両端部及び下端部の周縁部（X、Y、Z）をシールして開口部２を設けてある。すなわち、開口部２で裏面シート１Bは長くなる。該袋体１の開口部2の裏面シート１B側に前記表面シート１Aの上端とほぼ同じ位置を折り曲げた第一の折り曲げ部１１と、該第一の折り曲げ部１１の下側を逆に折り曲げた第二の折り曲げ部１２とを設け、更に該第二の折り曲げ部１２のある裏面シート１Bは、表面シート１A側に曲げても第一の折り曲げ部１１を十分カバーできるほどの長さを持っている。  また、第一の折り曲げ部１１付近には開口部２が設けてある。そして、この開口部２にファスナーFが設けてある。
【００１４】
なお、図２に示すように、開口部２の表面シート１A側にも接着剤４とこれを覆う剥離シート５が置いてある。これは、開口部２をしっかり覆い且つスライダー３を固定するためである。
【００１５】
前記長く取った裏面シート１Bの端部近傍に接着剤４を塗布して剥離シート５を置き、前記第一の折り曲げ部１１に凸部を設けた雄の一方のファスナーF１を設けると共に、前記表面１Aの上端縁に前記第一の折り曲げ部１１に設けた前記一方のファスナーF１と嵌合する雌の他方のファスナーF２を設けてある。すなわち、ファスナーFは、凸部を設けた一方のファスナーF１と凹部を設けた他方のファスナーF２とで構成され、これらを嵌合する。また、該ファスナーFには、走行させることにより該ファスナーFを開閉する分割・組立式のスライダー３が設けてある。該スライダー３の一方はファスナーFを開け、他方はファスナーFを閉じるようになっている（スライダー３につては後述する）。
【００１６】
図３は、本願考案の袋体１の裏面側面１Bを表面1A側へ折り曲げて被せた状態の正面図であり、図４は、図３のC―C矢視図の拡大図である。上記するように、この場合、袋体１の開口部2の裏面シート１B側に前記表面シート１Aの上端とほぼ同じ位置を折り曲げた第一の折り曲げ部１１と、該第一の折り曲げ部１１の下部を上方に折り曲げた第二の折り曲げ部１２とを設けてある。
更に該第二の折り曲げ部１２を表面シート１A側に曲げても届くように裏面側１Bを長く取り、該長く取った裏面シート１B側の上部シート１Cの中央部と、端部近傍に接着剤４を塗布してり剥離シート５を置いてある。前記第一の折り曲げ部に凸部を設けた一方のファスナーF１を設けると共に、前記表面シート１Aの上端縁には、前記第一の折り曲げ部１１に設けた前記一方のファスナーF１の凸部Pと嵌合する凹部を設けた他方のファスナーF２とを嵌合させてファスナーFとし、該ファスナーFを開閉するスライダー３を設けてある。この場合、スライダー３は分割・組立式のスライダーとしてある。また、前記第二の折り曲げ部１２と前記裏面シート１B側の上部シート１Cの中央部との間にミシン目６を設けてある。
【００１７】
図４は、図３に示す第２の折り曲げ部１２のCーC拡大矢視である。この考案は、前記第一の折り目１１は、折り曲げるため二枚のシートが重なっている。また、この考案の袋体１は折り曲げ部１１の部分が製作しにくい面がある。そこで、前記折り曲げ部１１の代わりに上部の部分は、裏面のシート１Bとは別個のシート１Cとを接合したシートとしても良い。また、図４に示すように、ミシン目６は、裏面シート１Bを表面シート１A側に被せた時丁度上に位置するようにしてある。なお、裏面シート１を折り曲げた折り曲げ部１１と折り曲げ部１２との隙間７には、商品の名前や会社名あるいは広告・宣伝、商品の効能等を記載した厚紙等を挟むことができる。
【００１８】
また前記スライダー３は、図５に示すように、ファスナーFを開く部分と、ファスナーFを閉じる部分とに分割するスライダーとを組み立てたスライダーとしてある。すなわち、ファスナーFはスライダー３で開け、スライダー３で閉じるようにした構成としてある。このように分割・組立型のスライダー３とすれば、スライダーを分割しておいて、閉じたファスナーFに凸部のある雄型スライダー部３Aを割り込ませ、次にファスナーFを閉じる雌型スライダー部３BをファスナーFに掛け、これらを合体させる。このようにスライダーを分割・組立型のスライダー３とすればファスナーにスライダーを取り付け、移動させるだけでファスナーFを開閉することができる。
【００１９】
次に、図６は、本考案の第２の実施の形態を示すスライダーを設けたファスナー付袋体１の正面図であり、図７は図６のD―D矢視断面図である。本実施の形態も、表面シート１Aと該表面シート１A側より開口部２より上へ長い裏面シート１Bとを有し、周縁部（X、Y、Z）をシールして開口部２を設けてある。開口部２のすぐ下側には接着剤４が塗布され剥離シート５Ａが設けてある。
そして、開口部２より上の方には中程と、端部に接着剤４、４と剥離シート５B、５Cを設けてある。また、ファスナーFと中程の接着剤４と剥離シート５Bとの間にミシン目６を設けてある。更に、開口部２にはファスナーFが設けられ、該ファスナーFには図５に示すスライダー３と同様の分割型のスライダー３が取り付けてある。
【００２０】
そして、この実施の形態の袋体１も、図７に示すように、表面シート１Aの上端部と同じ位置（開口部２位置）で、裏面シート１Bを下へ折り曲げて第１の折り曲げ部１１とし、更に一定の位置で上へ折り曲げて第２の折り曲げ部１２としてある。前記ファスナーFと中程の接着剤４、４と剥離シート５B、５Cとは、この状態の裏面シート１に設けてある。
【００２１】
図８は、図６に示す袋体１のミシン目６Aを破断した状態の正面図であり、図９は、図８のE―E矢視断面図である。この図８場合、袋体１のミシン目６Aを破断し、剥離シート５Aを取り、開口部２より上側を曲げ、接着剤４に接着させるとファスナーF全体とスライダー３をこの上側の裏面シート１Bを袋体１に接着することができる。そしてスライダー３を動かないように固定することができる。
もし、袋体１に入れる物で厚みが大きくなると、ミシン目６Bを破断し、剥離シート５Bを除去し、開口部２の上側の裏面シート１Bを袋体１の適当な位置に接着する。この場合、一方の接着剤を使用するため剥離シート５Aか５Bはそのままの状態に置く。
【００２２】
更に、この袋体１に入れる物が多くなり、袋の厚みがより厚くなると、開口部２の上を曲げ、剥離シート５Cを取り去り、袋体１の適当な位置に接着する。この第２の実施の形態では、ミシン目６Aを破断した場合、スライダー３はこのままでは移動させることはできないので、はさみで上部を切ることになるが、それ以外はミシン目６Aまたは６Bを利用して移動させる。
【００２３】
以上説明したように、本考案によれば収容した商品や大切なものが脱落することがなく、また、袋体にファスナーを設けて且つ該ファスナーにスライダーを取り付けて固定して該スライダーが勝手に動くことが無く、使用時には簡単に固定状態を解き、スライダーを移動させることができる。また、袋体１の厚みに応じて袋体１を閉じることができる。なお、前記袋体の表面シート１Aと裏面シート１Bとは、逆にしても良い。
【産業上の利用可能性】
【００２４】
本考案のスライダー付ファスナーを設けた袋体は、いままで使用しにくかったファスナーのみの袋体に比べてスライダーを取り付けることにより、盗難防止や商品の脱落防止を図ることができる。このため安心して本考案の袋体を使用することができるので、この袋体の購入者が多くなり売れ行きが良くなる。そして取引も増えるので袋体類の産業分野が活発になる。また、一般的に袋体を使用する者もこの袋体を使用しようとする者が多くなり、関連する商品の分野も活発になる。
【符号の説明】
【００２５】
１    スライダー付ファスナーを設けた袋体
１A  表面シート
1Ｂ   裏面シート
１C  上部シート
２    開口部
F    ファスナー
F１  凸部を設けたファスナー
F２  凹部を設けたファスナー
３    スライダー
３A  雄型スライダー部
３B  雌型スライダー部
４    接着剤
５A、５B、５C  剥離シート
６A、６B  ミシン目
７    隙間
１１  第一の折り曲げ部
１２  第二の折り曲げ部
【図１】
0003172065.tif 000003
【図２】
0003172065.tif 000004
【図３】
0003172065.tif 000005
【図４】
0003172065.tif 000006
【図５】
0003172065.tif 000007
【図６】
0003172065.tif 000008
【図７】
0003172065.tif 000009
【図８】
0003172065.tif 000010
【図９】
0003172065.tif 000011